(57)【特許請求の範囲】
【請求項１】
台座部を備え、波形屋根の頂部に固定するようにした屋根上取付具において、
少なくとも上記台座部は永久磁石で形成され、該台座部が屋根上取付物品または該屋根上取付物品を取り付けるためのフレームを磁着して固定するようにしてなることを特徴とする屋根上取付具。
【請求項２】
請求項１において、
上記台座部と、該台座部の下方に配した一対の挟着片とを有した略門形の挟着具とを有してなり、該一対の挟着片を相互に近接させて、上記波形屋根の頂部より突出した突出体に挟着させるようにしてなる屋根上取付具。
【請求項３】
請求項１または２の屋根上取付具を用いた屋根上取付物品の取付構造。
【発明の詳細な説明】
【技術分野】
【０００１】
本発明は、波形屋根の頂部に取付固定される屋根上取付具およびその屋根上取付具を用いた屋根上取付物品の取付構造に関する。
【背景技術】
【０００２】
一般に、折板屋根（角波形屋根）、丸波形屋根等の波形屋根の上面に、例えばテレビアンテナや空調機器、太陽電池パネル、遮熱シート等の屋根上取付物品を直接あるいは屋根上取付物品取付用のフレームを介して取付固定することが実施されており、従来には、屋根上取付物品を屋根上に取り付けるための種々の屋根上取付具が提案されている（例えば、特許文献１参照）。
【０００３】
特許文献１に記載された屋根は、山部と谷部とが交互に連続してなる波形屋根における山部の頂部で、隣接する屋根材同士を重ねてなる重合部をボルト体とナットの螺着によって連結、固定する構造となっている。その波形屋根に取り付けられる屋根上取付具は、重合部を波形屋根の下方より貫通して屋根上に突出させた屋根材連結のためのボルト体（突出体）の雄ネジ部を、先端が相対向する挟着片で挟み込むことで設置できるようになっている。
【０００４】
具体的には、この屋根上取付具は、略門形に形成した挟着具の両脚片を横方向に貫通する緊締用ボルト、ナットで両脚片を緊締して、両脚片のそれぞれの下端から対向するように延びた両挟着片をボルト体に挟着させる構造となっている。
【０００５】
そして、屋根上取付物品またはそれを取り付けるためのフレームは、屋根上取付具の台座部にビス止め等で固定されるようになっている。特許文献１のものは、台座部には剣先ボルトが突出した状態で固定されており、複数の屋根上取付具の剣先ボルトでフレームを架設固定し、さらにその上に屋根上取付物品を配設できるようになっている。
【先行技術文献】
【特許文献】
【０００６】
【特許文献１】特開２０１０−７７６９２号公報
【発明の概要】
【発明が解決しようとする課題】
【０００７】
しかしながら、上記従来の屋根上取付具の取付構造はビス止め等の固定による取付構造であるから、多数の屋根上取付具に対して長尺のフレームを架設する場合には、それぞれの屋根上取付具に対してビス止めしなければならず、固定作業に長時間を要するおそれがある。
【０００８】
また、ビス止めすればフレームや屋根上取付具の切粉が飛散し、屋根上面や屋根上取付具、フレームに付着、残留するため、それを取り除くための作業も発生する。切粉を残留したまま放置すれば、金属素材の場合には雨水等によって切粉が錆び、屋根上取付具やフレーム、屋根上取付物品、屋根面自体にも錆が及ぶおそれがある。
【０００９】
本発明は、このような事情を考慮して提案されたもので、その目的は、屋根上取付物品やこれを取り付けるためのフレームを効率よく短時間で屋根上に配設できる屋根上取付具およびその屋根上取付具を用いた屋根上取付物品の取付構造を提供することにある。
【課題を解決するための手段】
【００１０】
上記目的を達成するために、請求項１に記載の屋根上取付具は、台座部を備え、波形屋根の頂部に固定するようにした屋根上取付具において、少なくとも台座部は永久磁石で形成され、該台座部が屋根上取付物品または該屋根上取付物品を取り付けるためのフレームを磁着して固定するようにしてなることを特徴とする。
【００１１】
請求項２に記載の屋根上取付具は、台座部と、該台座部の下方に配した一対の挟着片とを有した略門形の挟着具とを有してなり、一対の挟着片を相互に近接させて、波形屋根の頂部より突出した突出体に挟着させるようにしてなる。
【００１２】
（削除）
【００１３】
（削除）
【００１４】
請求項３に記載の屋根上取付物品の取付構造は、請求項１または２の屋根上取付具を用いてなる。
【発明の効果】
【００１５】
請求項１に記載の屋根上取付具によれば、台座部が屋根上取付物品または屋根上取付物品を取り付けるためのフレームを磁着する構造となっているため、現場での作業を効率的に短時間で行うことができる。特に、少なくとも台座部が永久磁石で形成されているので、永久磁石が屋根上取付具から外れるおそれがなく安全である。
【００１６】
また、ビス止めにより固定する構造ではないため、当然にビス止めによる切粉が発生するおそれはなく、切粉を取り除く作業が省け、フレーム等の取付作業のさらなる迅速化が図れる。ビス止め作業による切粉が発生しないので、屋根面に切粉を原因とした錆も発生し得ない。
【００１７】
請求項２に記載の屋根上取付具によれば、一対の挟着片を有した略門形の挟着具で波形屋根の頂部の突出体に挟着して固定する構成であるため、屋根上取付具自体の波形屋根への取付固定も簡易に行える。
【００１８】
（削除）
【００１９】
（削除）
【００２０】
請求項３に記載の屋根上取付物品の取付構造によれば、請求項１または２の屋根上取付具を用いた構造であるため、上記と同様の効果が奏せられる。
【図面の簡単な説明】
【００２１】
【図１】本発明に係る屋根上取付具の第１実施形態（参考例）を示す分解斜視図および要部の拡大断面図である。
【図２】（ａ）は屋根上取付具の波形屋根への取り付け後の状態を示す一部断面正面図、（ｂ）は側面図である。
【図３】屋根上取付物品を屋根上取付具に取り付けるためのフレームの取付態様例を示す概略斜視図である。
【図４】図１に示した屋根上取付具の他の取付態様を示す一部断面正面図である。
【図５】本発明に係る屋根上取付具の第２実施形態（参考例）を示す分解斜視図である。
【図６】屋根上取付具の波形屋根への取り付け後の状態を示す一部断面斜視図である。
【図７】屋根上取付具の波形屋根への取り付け後の状態を示す一部断面正面図である。
【図８】（ａ）は本発明に係る屋根上取付具の第３実施形態（参考例）を示す斜視図、（ｂ）は屋根上取付具の波形屋根への取り付け後の状態を示す一部断面斜視図である。
【発明を実施するための形態】
【００２２】
以下に、本発明の実施の形態について、添付図面を参照しながら説明する。
【００２３】
図１は、本発明に係る屋根上取付具の第１実施形態（参考例）を示す分解斜視図および要部の拡大断面図である。図２（ａ）は屋根上取付具の波形屋根への取り付け後の状態を示す一部断面正面図、図２（ｂ）は同側面図である。図３は、屋根上取付物品を屋根上取付具に取り付けるためのフレームの取付態様例を示す概略斜視図である。
【００２４】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２５】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体Ｂ（突出体）とナットＣ１の螺着によって連結した重ね式接合構造となっている。
【００２６】
このナットＣ１は、図例においては、その下方の座金Ｃ２（図例では山座金）と一体的に形成されている。座金Ｃ２は、ボルト孔からの水の浸入を防止するための防水パッキン（不図示）を介在させている。
【００２７】
また、折板屋根Ｙの裏側には、正面視で折板屋根Ｙと略同形状をなす、ボルト止めのための支持金具Ｙ３が取り付けられている。なお、屋根上取付具Ａを取り付けるためのボルト体Ｂの取付位置は隣接する折板屋根材の重合部に限らず、他の頂部Ｙ１ａに支持金具Ｙ３を用いてボルト体Ｂを取り付けてもよい。
【００２８】
この屋根上取付具Ａは、金属板または硬質樹脂板よりなり、折板屋根Ｙの頂部Ｙ１ａより上方に突出した重合部連結用の上記ボルト体Ｂに挟着させて、取り付け、固定する構造となっている。
【００２９】
具体的には、屋根上取付具Ａは、永久磁石１１ｂを台座本体１１ａの上面に固着した台座部１１と、その両端から下方に延びた一対の脚片１２、１２と、脚片１２、１２のそれぞれの下端から、先端が相対向するように折曲形成された挟着片１３、１３とが一体的に形成された、略門形の挟着具１により構成されている。
【００３０】
永久磁石１１ｂは、図１の２点鎖線で囲んだ拡大部分縦断面図に示すように、台座本体１１ａに対してリベットＲ止めされており、リベットＲの頭が突出しないように、上面中央には穴部１１ｂａが形成されている。永久磁石１１ｂは台座本体１１ａに接着剤で固着してもよい。
【００３１】
この屋根上取付具Ａは、対向する両脚片１２、１２に開設された軸孔１２ａ、１２ａに貫通された緊締用ボルト２５と、緊締用ナット２６との螺合によって、両脚片１２、１２を緊締して、両挟着片１３、１３の先端を相互に近接させて、ボルト体Ｂに挟着させる構造となっている。なお図例のものでは、両脚片１２、１２に補強用のリブ１２ｂが形成されている。
【００３２】
挟着片１３は上向きに傾斜形成され、その先端部の中央にはボルト体Ｂの雄ネジ部Ｂ１を嵌め入れるための係止凹所１３ａが形成され、その係止凹所１３ａでボルト体Ｂに挟着するようになっている。また、係止凹所１３ａにはボルト体Ｂを係止する係止片１３ｂが切り起こし形成されており、先端部の係止凹所１３ａの両側には補強用のリブ１３ｃが形成されている。
【００３３】
このような屋根上取付具Ａを、図３に示すように折板屋根Ｙの頂部Ｙ１ａに並べて取り付けていき、横方向に一直線に並んだ屋根上取付具Ａの台座部１１（永久磁石１１ｂ）の上に、屋根上取付物品（不図示）を固定するためのフレームＦを載せ置き永久磁石１１ｂで磁着させる。
【００３４】
このように、フレームＦを台座部１１に設けた永久磁石１１ｂに磁着させるだけの取付構造であるため、短時間で屋根上取付物品の取付作業を行える。
【００３５】
また、フレームＦをビス止めしなくてもよいため、ビス止めによる切粉が発生するおそれはなく、切粉を取り除く作業が省ける。切粉が発生しないので、屋根面に切粉を原因とした錆も発生し得ない。
【００３６】
さらに、本実施形態の屋根上取付具Ａは、一対の挟着片１３、１３を有した挟着具１で折板屋根Ｙの頂部Ｙ１ａのボルト体Ｂに挟着して固定する構成であるため、屋根上取付具Ａ自体の折板屋根Ｙへの取付固定も簡易に行える。また挟着固定であるため、屋根上取付具Ａ自体もしっかりと折板屋根Ｙに固定できる。
【００３７】
なお、図３の例ではフレームＦを屋根上取付具Ａに磁着取り付けする例を示したが、屋根上取付物品を直接、屋根上取付具Ａに磁着させる構成であってもよい。
【００３８】
図４は、本実施形態の屋根上取付具Ａの他の取付態様を示す一部断面正面図である。
【００３９】
この図例に示した折板屋根Ｙは、図１に示した折板屋根Ｙと折板屋根材の連結構造が異なる。すなわち、図４に示した折板屋根Ｙは、頂部Ｙ１ａにおいて２枚の折板屋根材をハゼ結合してなり、その連結した頂部Ｙ１ａには突出体としてハゼ部Ｈが形成されている。なお、図４に示した屋根上取付具Ａは図１のものと同一構造であるため、各部の詳細については説明を省略する。
【００４０】
屋根上取付具Ａは、ハゼ部Ｈに対して、図１の例と同様に緊締用ボルト２５と、緊締用ナット２６とを用いて挟着片１３を挟着させることで、取付固定することができる。
【００４１】
このように、本実施形態の屋根上取付具Ａは一対の挟着片１３、１３で挟着する構造であるため、ハゼ部Ｈに対しても取付固定することができる。
【００４２】
ついで、第２実施形態（参考例）について説明する。
【００４３】
図５は、本発明に係る屋根上取付具の第２実施形態を示す分解斜視図である。図６は、屋根上取付具の波形屋根への取り付け後の状態を示す一部断面斜視図である。図７は同一部断面正面図である。
【００４４】
この屋根上取付具Ａは、台座部１１に永久磁石１１ｂが設けられている点、および挟着構造により頂部Ｙ１ａに取付固定する点については第１実施形態と同様であるが、第１実施形態とは挟着手段（挟着具１の挟着片１３）の形状、構造が異なる。また、屋根上取付具Ａの取付対象である折板屋根Ｙは、図１に示した折板屋根Ｙと同様、重ね式接合構造でボルト体Ｂが頂部Ｙ１ａより突出した構造のものが使用される。なお、第１実施形態と同様の構成部については同一の符号を付してその説明を割愛する。
【００４５】
挟着片１３は、屋根上取付具Ａを折板屋根Ｙの頂部Ｙ１ａに取り付けたときに頂部Ｙ１ａの上面に接触する屋根上載置部１３ｄを有し、その先端部において上方に折曲されて、ボルト体Ｂの雄ネジ部Ｂ１に係止する半割筒体よりなるボルト係止溝部１３ｅが形成されている。
【００４６】
この屋根上載置部１３ｄは、中央部がボルト係止溝部１３ｅの直下にいたるまで開口されており、その開口によって、屋根上取付具Ａを頂部Ｙ１ａに設置したときにナットＣ１と座金Ｃ２を収容する（回避する）座金部収容空所１３ｄａが形成されている。
【００４７】
この座金部収容空所１３ｄａは、平面的には座金Ｃ２の大きさ分を収容でき、高さ方向においてはナットＣ１の上端までを収容できる程度の空所であればよい。
【００４８】
また、ボルト係止溝部１３ｅは内側に雌ネジ部１３ｅａを形成した半割筒体よりなり、脚片１２の緊締によって両ボルト係止溝部１３ｅ、１３ｅでボルト体Ｂを抱持することで雄ネジ部Ｂ１と係止される。こうして、雄ネジ部Ｂ１とボルト係止溝部１３ｅとは、ネジ山とネジ溝とが相互に噛み合って、強固な挟着関係が形成され、それによって屋根上取付具Ａがボルト体Ｂに固定される。
【００４９】
また、図６に示すように、屋根上取付具Ａは頂部Ｙ１ａの上面に載置されるように固定される。つまり、屋根上取付具Ａを設置したときには挟着片１３の屋根上載置部１３ｄは頂部Ｙ１ａの上面に接触する。
【００５０】
したがって、この屋根上取付具Ａによれば、ボルト係止溝部１３ｅにより折板屋根Ｙの頂部Ｙ１ａより突出したボルト体Ｂにしっかりと係止、挟着でき、屋根上載置部１３ｄの頂部Ｙ１ａへの接触によって挟着片１３のボルト体Ｂへの挟着を補完でき、それによって屋根上取付具Ａのぐらつきを防止できる。
【００５１】
こうして、屋根上取付具Ａを、第１実施形態と同様の並べ方で（図３参照）、折板屋根Ｙの頂部Ｙ１ａに並べて取り付けていき、横方向に一直線に並んだ屋根上取付具Ａの台座部１１（永久磁石１１ｂ）の上に、屋根上取付物品を固定するためのフレームＦを載せ置き磁着させる。
【００５２】
このように、本発明は挟着構造の異なる種々の挟着具１に適用できる。なお、第１、第２実施形態の形状、構造のもには限られず、他の挟着構造の挟着具よりなる屋根上取付具であってもよい。
【００５３】
つぎに、第３実施形態（参考例）について説明する。
【００５４】
図８（ａ）は本発明に係る屋根上取付具の第３実施形態を示す斜視図、図８（ｂ）は屋根上取付具の波形屋根への取り付け後の状態を示す一部断面斜視図である。
【００５５】
なお、本実施形態においても、屋根上取付具Ａは図１に示した折板屋根Ｙと同様の重ね式接合構造でボルト体Ｂが頂部Ｙ１ａより突出したものに取り付けされる。
【００５６】
この屋根上取付具Ａは、金属板または硬質樹脂板を折曲形成してなり、底部１６と、その底部１６の両側部より上方に折曲延出した一対の側壁部１５と、その両側壁部１５の上端より対向するように折曲延出した永久磁石１１ｂ付きの台座部１１とを有した構造となっている。このように、本実施形態では、屋根上取付具Ａは、台座部１１と底部１６とが離隔・重合された横筒体より形成されている。
【００５７】
台座部１１は、分離形成された台座本体１１ａの上面のそれぞれに永久磁石１１ｂを接着してなる。なお、分離された２つの台座本体１１ａに１枚の永久磁石を架設するように取り付けてもよい。また、屋根上取付具Ａの台座部１１を永久磁石で一体的に構成してもよいし、屋根上取付具Ａ全体を永久磁石で一体的に構成にしてもよい。
【００５８】
底部１６の中央部には、屋根上取付具Ａを折板屋根Ｙの頂部Ｙ１ａに設置したときにナットＣ１（図１参照）や座金Ｃ２と抵触しないような上げ底部１６ａが形成されており、その上げ底部１６ａの中央には、内周に拡開爪片１７ａを具設したボルト挿通孔を有した、ボルト体Ｂに係止するためのボルト係止部１７が形成されている。
【００５９】
屋根上取付具Ａは、折板屋根Ｙより突出したボルト体Ｂをボルト係止部１７に挿入させるように上方より嵌め込んでいくことで簡単に折板屋根Ｙに取付固定できる。ボルト係止部１７の拡開爪片１７ａがボルト体Ｂの雄ネジ部Ｂ１のネジ溝に食い込むので、屋根上取付具Ａがボルト体Ｂより外れることはない。
【００６０】
このように、屋根上取付具Ａは突出体への挟着により頂部Ｙ１ａに取り付けるものに限られず、どのような固着構造であってもよく、本実施形態のようにボルト体Ｂへ嵌着して取り付ける構造のものでもよいし、たんに底部１６を頂部Ｙ１ａに接着剤で接着する取付構造のものでもよい。
【００６１】
また、挟着具１において、挟着対象のボルト体Ｂの軸径が小さい場合には、内外にネジ溝を形成した管状体をボルト体Ｂに嵌着させたうえで、屋根上取付具を挟着または嵌着してもよい。
【００６２】
以上に示した第１〜第３実施形態（参考例）の屋根上取付具Ａは、別体の永久磁石１１ｂを台座本体１１ａに固着してなる構成であるため、従来使用していた、永久磁石を取り付けていない屋根上取付具を有効に使用できる。
【００６３】
また、このように別体の永久磁石１１ｂを台座本体１１ａに取り付けるものではなく、少なくとも台座部１１を永久磁石で形成するように一体形成したものでもよい。もちろん屋根上取付具Ａ全体を永久磁石で形成してもよい。このように永久磁石を含んで一体的に形成したものによれば、別体の永久磁石を固着する構成ではないため、永久磁石が屋根上取付具Ａより外れるおそれがなく安全である。
【符号の説明】
【００６４】
Ａ      屋根上取付具
１      挟着具
１１      台座部
１１ａ      台座本体
１１ｂ      永久磁石
１２      脚片
１３      挟着片
１５      側壁部
１６      底部
Ｂ      ボルト体（突出体）
Ｈ      ハゼ部（突出体）
Ｆ      フレーム
Ｙ      折板屋根（角波形屋根）
Ｙ１ａ      頂部
【図１】
0005606958.tif 000002
【図２】
0005606958.tif 000003
【図３】
0005606958.tif 000004
【図４】
0005606958.tif 000005
【図５】
0005606958.tif 000006
【図６】
0005606958.tif 000007
【図７】
0005606958.tif 000008
【図８】
0005606958.tif 000009